(57)【要約】【課題】  工場における生産性の向上や現場での据え付け作業性の向上を容易に図ることのできるオープン階段ユニットを提供する。【解決手段】  複数の踏板２と、複数の踏板２のそれぞれを下方から支持する踏板支持部材３と、複数の踏板２のそれぞれの蹴上げ寸法を制御するための蹴上げ制御部材４と、上階と下階の間に複数の踏板２を配列するための上階と下階の間に設置され、その上面に、踏板支持部材３および蹴上げ制御部材４が複数の踏板２の配列方向に沿って交互に固定される桁本体５とを主として構成する。【選択図】      図１
2005299089.tif 000002
【特許請求の範囲】
【請求項１】
複数の踏板と、
前記複数の踏板のそれぞれを下方から支持する踏板支持部材と、
前記複数の踏板のそれぞれの蹴上げ寸法を制御するための蹴上げ制御部材と、
上階と下階の間に前記複数の踏板を配列するための上階と下階の間に設置され、その上面に、前記踏板支持部材および蹴上げ制御部材が前記複数の踏板の配列方向に沿って交互に固定される桁本体とを有していることを特徴とするオープン階段ユニット。
【請求項２】
前記桁本体に対する前記踏板支持部材の桁側取付部の配列方向に沿った長さが予め設定されており、前記桁本体に対する前記蹴上げ制御部材の桁側取付部の配列方向に沿った長さが据え付け現場の実際の仕様に応じて設定されるように形成されていることを特徴とする請求項１に記載のオープン階段ユニット。
【請求項３】
前記桁本体が複数であることを特徴とする請求項１または請求項２に記載のオープン階段ユニット。
【請求項４】
前記踏板支持部材、蹴上げ高さ制御部材および桁本体が、アルミニウム合金によって形成されていることを特徴とする請求項１ないし請求項３のいずれか１項に記載のオープン階段ユニット。
【請求項５】
階段手摺りが設けられていることを特徴とする請求項１ないし請求項４のいずれか１項に記載のオープン階段ユニット。
【発明の詳細な説明】
【技術分野】
【０００１】
本発明は、建物における上階と下階との間を昇降するのに好適なオープン階段ユニットに関する。
【背景技術】
【０００２】
従来から、建物における上階と下階との間を昇降するための階段の一種として、踏板が壁パネルから分離されたオープン階段が知られており、このようなオープン階段は、例えば、吹き抜け部における下階とその上階との間、下階とその上方の踊り場との間などに設置されている。
【０００３】
近年、階段は、工場生産による低価格化、工期および納期の短縮化、据え付け作業性の向上などの理由によりユニット化が図られている（例えば、特許文献１参照）。
【０００４】
そこで、オープン階段においてもユニット化されたオープン階段ユニットが提案されている。（例えば、特許文献２参照）。
【０００５】
【特許文献１】特開平１１−３４３７１４号公報
【特許文献１】特開２００３−１９３６５０号公報
【発明の開示】
【発明が解決しようとする課題】
【０００６】
ところで、近年においては各種製品の高性能化が求められており、各種製品の高性能化の一つとして、オープン階段ユニットにおいても工場における生産性の向上や現場での据え付け作業性の向上が求められている。
【０００７】
本発明はこの点に鑑みてなされたものであり、工場における生産性の向上や現場での据え付け作業性の向上を容易に図ることのできるオープン階段ユニットを提供することを目的とする。
【課題を解決するための手段】
【０００８】
前述した目的を達成するため、本発明のオープン階段ユニットの特徴は、複数の踏板と、前記複数の踏板のそれぞれを下方から支持する踏板支持部材と、前記複数の踏板のそれぞれの蹴上げ寸法を制御するための蹴上げ制御部材と、上階と下階の間に前記複数の踏板を配列するための上階と下階の間に設置され、その上面に、前記踏板支持部材および蹴上げ制御部材が前記複数の踏板の配列方向に沿って交互に固定される桁本体とを有している点にある。そして、このような構成を採用したことにより、部品点数の少ない簡単な構成を実現することができる。
【０００９】
本発明のオープン階段ユニットにおいては、前記桁本体に対する前記踏板支持部材の取付部の配列方向に沿った長さが、予め設定されており、前記桁本体に対する前記蹴上げ制御部材の取付部の配列方向に沿った長さが、据え付け現場の実際の仕様に応じて設定されるように形成されていることが好ましい。そして、このような構成を採用したことにより、蹴上げ制御部材を取付部の配列方向に沿った長さの異なるものと交換するという簡単な操作により、多種多様の据え付け現場の実際の階高さに応じた蹴上げの一様性を容易に確保することができる。
【００１０】
本発明のオープン階段ユニットにおいては、前記桁本体が複数であることが好ましい。
【００１１】
また、前記桁本体、桁受け部材および踏板支持部材は、アルミニウム合金によって形成されていることが好ましく、階段手摺りが設けられていることが好ましい。
【発明の効果】
【００１２】
本発明のオープン階段ユニットによれば、工場における生産性の向上や現場での据え付け作業性の向上を容易に図ることができるなどの極めて優れた効果を奏する。
【発明を実施するための最良の形態】
【００１３】
以下、本発明を図面に示す実施形態により説明する。
【００１４】
図１から図７は、本発明に係るオープン階段ユニットの実施形態を示すものであり、図１は設置状態における要部を示す外観斜視図、図２は手摺りを省略して示す正面図、図３は側面図、図４は踏板側取付体の外観斜視図、図５は桁側取付体の拡大外観斜視図、図６は蹴上げ制御部材の拡大外観斜視図、図７は桁本体の断面図である。
【００１５】
本実施形態のオープン階段ユニット１は、図１に示すように、据え付け現場である建物の内部に設けられた吹き抜け部において、下階である１階とその上階である２階との間を昇降するためのものであり、１階の床ＦＬ１と２階の床ＦＬ２との間に直線状をなすように設置されるようになっている。
【００１６】
図１から図３に示すように、本実施形態のオープン階段ユニット１は、１２枚の踏板２と、２４個の踏板支持部材３と、２２個の蹴上げ制御部材４と、２本の桁本体５を主として形成されている。
【００１７】
前記踏板２は、天然木材、合成木材、集成ムク材などの素材により、平面横長の板状に形成されており、設置状態において上面がほぼ水平をなすように設置されている。
【００１８】
前記踏板支持部材３は、踏板２を下方から支持するためのものであり、１枚の踏板２に対して２個の踏板支持部材３が用いられている。
【００１９】
すなわち、各踏板２の下面には、それぞれ配列方向と直交する横方向に２本の桁本体５の間隔と等しい間隔をおいて平行に延在する２個の踏板支持部材３が固定されており、１本の桁本体５に対して１２個の踏板支持部材３が配列方向に沿って間隔をおいて配置されている。
【００２０】
本実施形態の踏板支持部材３は、図３に示すように、踏板側取付体６と桁側取付体７とに２分割形成されている。
【００２１】
一方の踏板側取付体６は、踏板２との固定に用いるためのものであり、図４に詳示するように、桁側取付体７との接続に用いる平板状の接続基板部８と、この接続基板部８と同一幅寸法で接続基板部８の配列方向に沿った長手方向の左端縁から接続基板部８の厚さ方向に沿って上方に向かって延出された長さの長い平板状の長側板部９と、接続基板部８の右端縁から接続基板部８の厚さ方向に沿って上方に向かって延出された長さの短い短側板部１０と、長側板部９および短側板部１０のそれぞれの上端を接続する平板状の踏板固定板部１１とを有しており、全体として側面ほぼ一辺が斜面の四角枠状に形成されている。そして、踏板固定板部１１の上面は、設置状態においてほぼ水平をなすように配置されるようになっており、この踏板固定板部１１の上面が、踏板２の下面に図示しない締結ボルトなどの締結手段によって固着されるようになっている。また、踏板側取付体６の内部には、接続基板部８と長側板部９との接続部分と、踏板固定板部１１の長さ方向のほぼ中央部とを接続するように配設された平板状のリブ１２が設けれている。
【００２２】
本実施形態の踏板側取付体６は、アルミニウム合金を素材として形成されている。また、踏板側取付体６の製造は、例えば、アルミニウム合金のビレットを押出し加工することにより長尺の中間品を形成し、この中間品をその押出し方向と直交する方向に所定の幅で切断することによって、効率よく生産することができるようになっている。
【００２３】
他方の桁側取付体７は、桁本体５との固定に用いるためのものであり、図５に詳示するように、踏板支持部材３の桁側取付部として機能する平板状の取付基板部１３を有している。この取付基板部１３の上面には、踏板側取付体６の接続基板部８の外表面が当接可能とされており、取付基板部１３と接続基板部８とを図示しない締結ボルトなどの締結手段によって締結することで、踏板側取付体６と桁側取付体７とを容易に一体化することができるようになっている。また、取付基板部１３は、図示しない止めねじなどの締結手段によって桁本体５の上部の装着部（図７参照）２０に固着することができるようになっている。例えば、取付基板部１３の上面側から止めねじを螺入し、止めねじの先端を桁本体５の装着部の上面に当接させることで、桁側取付体７を桁本体５に固定することができるようになっている。この取付基板部１３の配列方向に沿った長手方向の長さは、オープン階段ユニット１の設計コンセプトに応じて予め設定されている。
【００２４】
前記取付基板部１３の幅方向の両端には、垂直板部１４がそれぞれ形成されている。これらの垂直板部１４は、取付基板部１３の上面より上方に延出された上突出部１５と、この上突出部１５の下方に側面が平面となるように取付基板部１３の下面より下方に延出された下突出部１６と、この下突出部１６の先端から取付基板部１３と平行に延在するように内側に向かって延出された抜け止め部１７とにより全体として正面ほぼＬ字状をなすように形成されている。
【００２５】
前記両垂直板部１４の上突出部１５の相互に対向する対向面間の寸法は、踏板側取付体６の接続基板部８の幅方向の寸法より若干大きく形成されており、取付基板部１３の上面に対する踏板側取付体６の接続基板部８の装着、および、取付基板部１３の上面に対する踏板側取付体６の接続基板部８の配列方向に対して直交する幅方向の位置決めを容易に行うことができるようになっている。
【００２６】
前記両垂直板部１４の下突出部１６の相互に対向する対向面間の寸法は、桁本体５の上面に形成された装着部２０の配列方向に対して直交する幅方向の寸法より若干大きく形成されている。そして、下突出部１６と取付基板部１３の相互に対向する対向面間の寸法は、桁本体５の上面に形成された装着部２０の厚さ方向の寸法より大きく形成されている。
【００２７】
このような構成により、桁側取付体７の一部を構成する取付基板部１３と両垂直板部１４の下突出部１６および抜け止め部１７とにより形成される空間の内部が、桁本体５の上面に形成された装着部２０に容易に外挿することができるようになっている。
【００２８】
すなわち、本実施形態の踏板支持部材３の桁側取付体７は、桁本体５への装着状態において配列方向に沿って移動可能に形成されている。
【００２９】
なお、垂直板部１４の下突出部１６および抜け止め部１７は、設計コンセプトなどの必要に応じて設ければよい。
【００３０】
また、本実施形態の桁側取付体７は、桁本体５の上部に所定の間隔をおいて配列されている。すなわち、１本の桁本体５に対して１２個の桁側取付体７が配列方向に沿って間隔をおいて配置されている。
【００３１】
本実施形態の桁側取付体７は、アルミニウム合金を素材として形成されている。また、桁側取付体７の製造は、例えば、アルミニウム合金のビレットを押出し加工することにより長尺の中間品を形成し、この中間品をその押出し方向と直交する方向に予め設定された所定の幅で切断することによって、効率よく生産することができるようになっている。
【００３２】
前記蹴上げ制御部材４は、踏板支持部材３の配列方向に沿った間隔を制御するためのものであり、配列方向に沿った長さ寸法以外は、桁側取付体７と同一形状に形成されている。
【００３３】
すなわち、本実施形態の蹴上げ制御部材４は、図６に示すように、蹴上げ制御部材４の桁側取付部として機能する平板状の取付基板部１３を有している。この取付基板部１３は、図示しない止めねじなどの締結手段によって桁本体５の上部の装着部２０に固着することができるようになっている。例えば、取付基板部１３の上面側から止めねじを螺入し、止めねじの先端を桁本体５の装着部２０の上面に当接させることで、桁側取付体７を桁本体５に固定することができるようになっている。この取付基板部１３、ひいては、蹴上げ制御部材４の配列方向に沿った長さ寸法は、予め設定されているのではなく、据え付け現場の実際の仕様、例えば、据え付け現場の実際の階高さ寸法に基づいて設定されるようになっている。
【００３４】
前記取付基板部１３の幅方向の両端には、垂直板部１４がそれぞれ形成されている。これらの垂直板部１４は、取付基板部１３の上面より上方に延出された上突出部１５と、この上突出部１５の下方に側面が平面となるように取付基板部１３の下面より下方に延出された下突出部１６と、この下突出部１６の先端から取付基板部１３と平行に延在するように内側に向かって延出された抜け止め部１７とにより全体として正面ほぼＬ字状をなすように形成されている。
【００３５】
前記両垂直板部１４の上突出部１５の相互に対向する対向面間の寸法は、踏板側取付体６の接続基板部８の幅方向の寸法より若干大きく形成されており、取付基板部１３の上面に対する踏板側取付体６の接続基板部８の装着、および、取付基板部１３の上面に対する踏板側取付体６の接続基板部８の配列方向に対して直交する幅方向の位置決めを容易に行うことができるようになっている。
【００３６】
前記両垂直板部１４の下突出部１６の相互に対向する対向面間の寸法は、桁本体５の上面に形成された装着部２０の配列方向に対して直交する幅方向の寸法より若干大きく形成されている。そして、下突出部１６と取付基板部１３の相互に対向する対向面間の寸法は、桁本体５の上面に形成された装着部２０の厚さ方向の寸法より大きく形成されている。
【００３７】
このような構成により、蹴上げ制御部材４の一部を構成する取付基板部１３と両垂直板部１４の下突出部１６および抜け止め部１７とにより形成される空間の内部が、桁本体５の上面に形成された装着部２０に容易に外挿することができるようになっている。
【００３８】
すなわち、本実施形態の蹴上げ制御部材４は、桁本体５への装着状態において配列方向に沿って移動可能に形成されている。
【００３９】
なお、垂直板部１４の下突出部１６および抜け止め部１７は、設計コンセプトなどの必要に応じて設ければよい。
【００４０】
また、本実施形態の蹴上げ制御部材４は、桁本体５の上部に所定の間隔をおいて配列されている。すなわち、１本の桁本体５に対して１１個の蹴上げ制御部材４が配列方向に沿って間隔をおいて配置されている。
【００４１】
本実施形態の蹴上げ制御部材４は、アルミニウム合金を素材として形成されている。また、本実施形態の蹴上げ制御部材４の製造は、例えば、アルミニウム合金のビレットを押出し加工することにより長尺の中間品を形成し、この中間品をその押出し方向と直交する方向に据え付け現場の実際の仕様に応じて設定された所定の幅で切断することによって、効率よく生産することができるようになっている。
【００４２】
この蹴上げ制御部材４の製造に用いる中間品と、桁側取付体７の製造に用いる中間品とは、共通のものが用いられている。
【００４３】
すなわち、中間品を切断する際に、中間品の配列方向に沿った切断間隔を変更することで、１種類の中間品から桁側取付体７および蹴上げ制御部材４の両者を連続的に製造することができるようになっている。
【００４４】
前記桁本体５は、図７に詳示するように、断面縦長の四角枠状に形成された長尺の本体部１８を備えており、この本体部１８の上面には、桁側取付体７および蹴上げ制御部材４のそれぞれの抜け止め部１７が配列方向に沿って挿入可能な左右一対の凹溝１９を介して平板状の装着部２０が一体に形成されている。そして、凹溝１９に、桁側取付体７の抜け止め部１７と蹴上げ制御部材４の抜け止め部１７とが配列方向に沿って交互に挿入されるようになっており、桁本体５の上面には、桁側取付体７と蹴上げ制御部材４とが交互に固定されるようになっている。
【００４５】
前記桁本体５の両端は、図３に示すように、側面から見て長手方向に対して交差する角度が、階段の勾配に合わせて形成されており、図３下方に示す下端には、１階の床ＦＬ１との接続に用いる下部取付板２１が固着されている。また、桁本体５の図３上方に示す上端には、２階の床ＦＬ２の前面下方に配設された壁パネルＰとの接続に用いる上部取付板２２が固着されている。
【００４６】
本実施形態の桁本体５は、アルミニウム合金を素材として形成されている。また、本実施形態の桁本体５の製造は、例えば、アルミニウム合金のビレットを押出し加工することにより長尺の中間品を形成し、この中間品の両端を階段の勾配に合わせて切断することによって、効率よく生産することができるようになっている。
【００４７】
なお、踏板２の数、踏板支持部材３、蹴上げ制御部材４および桁本体５のそれぞれの数やサイズは、設計コンセプトなどの必要に応じて変更することができる。
【００４８】
本実施形態のオープン階段ユニット１には、図１に示すように、設置状態において手摺り２３が取着されるようになっている。この手摺り２３は、親柱、小柱、脱落防止桟、笠木、脱落防止パネルなどから構成された従来公知のものでありその詳しい説明は省略する。
【００４９】
なお、手摺り２３は、従来公知の各種のものから設計コンセプトなどの必要に応じて選択使用することができる。
【００５０】
つぎに、前述した構成からなる本実施形態の作用について説明する。
【００５１】
本実施形態のオープン階段ユニット１は、工場生産により、１本の桁本体５に１２個の踏板支持部材３と１１個の蹴上げ制御部材４とを配列方向に沿って交互に装着し固定するとともに、桁本体５の両端に下部取付板２１および上部取付板２２を固定することでサブユニットを形成する。この時、踏板支持部材３の踏板側取付体６は、配列方向に沿った長さが予め設定されたものが用いられ、蹴上げ制御部材４は、配列方向に沿った長さが据え付け現場の実際の仕様に応じて設定されたものが用いられる。その結果、据え付け現場毎に異なる実際の仕様に応じて踏板２の一様な蹴上げ寸法を容易に確保することができる。このサブユニットの桁本体５に踏板支持部材３を固定した状態の断面形状を図８に示す。
【００５２】
また、踏板支持部材３の桁側取付体７および蹴上げ制御部材４は、桁本体５への装着状態（固定前の状態）において配列方向に沿って移動可能に形成されているので、踏板支持部材３の桁側取付体７および蹴上げ制御部材４の位置決めを容易に行うことができる。
【００５３】
そして、据え付け現場には、１２枚の踏板２と、２組のサブユニットと、踏板２の締結に用いるボルトなどの小部品と、手摺り２３のセットを１セットにして出荷する。
【００５４】
勿論、１２枚の踏板２を２組のサブユニットに組み込んだオープン階段ユニット１としてもよいが、オープン階段ユニット１の重量が重くなるので、運搬や据え付け作業に、ホイストやクレーンなどの作業装置が必要となる。
【００５５】
また、据え付け現場では、工場から届いた１セットを所定の順序で据え付けることで、図１に示すように、１階の床ＦＬ１と、２階の床ＦＬ２の前面下方に配設された壁パネルＰとの間にオープン階段ユニット１を設置する。この時、オープン階段ユニット１の一部がサブユニットとされているので、据え付け作業を短時間で行うことができる。なお、オープン階段ユニット１の詳しい据え付け動作については省略する。
【００５６】
このように本実施形態のオープン階段ユニット１によれば、複数の踏板２と、複数の踏板２のそれぞれを下方から支持する踏板支持部材３と、複数の踏板２のそれぞれの蹴上げ寸法を制御するための蹴上げ制御部材４と、上階と下階の間に複数の踏板２を配列するための上階と下階の間に設置され、その上面に、踏板支持部材３および蹴上げ制御部材４が複数の踏板２の配列方向に沿って交互に固定される桁本体５とを有する構成とされているので、従来公知の側板、けこみ板などの部品を設ける必要がない。
【００５７】
すなわち、本実施形態のオープン階段ユニット１によれば、部品点数の少ない簡単な構成を容易に実現することができる。その結果、工場における生産性の向上による低価格化や納期の短縮化および現場での据え付け作業性の向上を容易に図ることができる。
【００５８】
また、本実施形態のオープン階段ユニット１によれば、桁本体５に対する踏板支持部材３の桁側取付部の配列方向に沿った長さが予め設定されており、桁本体５に対する蹴上げ制御部材４の桁側取付部の配列方向に沿った長さが据え付け現場の実際の仕様に応じて設定されるように形成されているので、蹴上げ制御部材４を取付部の配列方向に沿った長さの異なるものと交換するという簡単な操作により、多種多様の据え付け現場の階高さに応じた蹴上げの一様性を容易に確保することができる。その結果、オープン階段ユニット１の生産を据え付け現場の実際の仕様に応じて効率よく短期間に行うことができるので、工場における生産性の向上による低価格化や納期の短縮化および現場での据え付け作業性の向上をより容易に図ることができる。
【００５９】
また、本実施形態のオープン階段ユニット１によれば、桁本体５の両端に下部取付板２１および上部取付板２２を固定したサブユニットを確実かつ容易に工場生産することができるので、据え付け現場における据え付け部品の点数を少なくすることができるので、取り扱い性および据え付け作業性を向上することができる。
【００６０】
また、本実施形態のオープン階段ユニット１によれば、桁本体５が複数であるので、踏板２の支持箇所を複数にすることが容易にできる。その結果、昇降する人の荷重を受動する踏板２の剛性を確保することができるので、昇降する人の足下の安定感を得ることができるとともに、オープン階段ユニット１自体の剛性を向上することができる。
【００６１】
また、本実施形態のオープン階段ユニット１によれば、踏板支持部材３、蹴上げ高さ制御部材および桁本体５が、アルミニウム合金によって形成されているので、軽量化を容易に図ることができる。
【００６２】
また、本実施形態のオープン階段ユニット１によれば、手摺り２３が設けられているので、昇降する人の転落を確実に防止することができる。
【００６３】
なお、本発明のオープン階段ユニット１は、下階とその上階との間だけでなく、下階とその上方の踊り場との間、踊り場とその上方の上階との間などの各種の場所に設置することができる。
【００６４】
さらに、本発明のオープン階段ユニット１は、直線状に限らず、螺旋状などの曲線状のものに適用することができる。
【００６５】
また、本発明は、前述した実施の形態に限定されるものではなく、必要に応じて種々の変更が可能である。
【図面の簡単な説明】
【００６６】
【図１】本発明に係るオープン階段ユニットの実施形態の設置状態における要部を示す外観斜視図
【図２】図１の手摺りを省略して示す正面図
【図３】図１の側面図
【図４】図１のオープン階段ユニットの踏板側取付体の要部を示す外観斜視図
【図５】図１のオープン階段ユニットの桁側取付体の要部を示す拡大外観斜視図
【図６】図１のオープン階段ユニットの蹴上げ制御部材の要部を示す拡大外観斜視図
【図７】図１のオープン階段ユニットの桁本体の要部を示す断面図
【図８】図１のオープン階段ユニットの桁本体に踏板支持部材を固定した状態の要部を示す断面図
【符号の説明】
【００６７】
１  オープン階段ユニット
２  踏板
３  踏板支持部材
４  蹴上げ制御部材
５  桁本体
６  踏板側取付体
７  桁側取付体
８  接続基板部
１１  踏板固定板部
１３  取付基板部
１８  本体部
１９  凹溝
２０  装着部
ＦＬ１  （１階の）床
ＦＬ２  （２階の）床
Ｐ  壁パネル
【図１】
2005299089.tif 000003
【図２】
2005299089.tif 000004
【図３】
2005299089.tif 000005
【図４】
2005299089.tif 000006
【図５】
2005299089.tif 000007
【図６】
2005299089.tif 000008
【図７】
2005299089.tif 000009
【図８】
2005299089.tif 000010